(57)【要約】      （修正有）【課題】構造簡素にして液体調味料の流出方向が安定する液体調味料容器を得る。【解決手段】液体調味料を収容する容器本体２の上部口にキャップ５を開閉可能に設け、前記キャップ５の側壁に筒状の注出ノズル７を上向きに傾斜させて突出固定し、該注出ノズル７の注ぎ口７ａの上辺に、注出ノズル７の軸線に対して下方に傾斜するガイド片８を設ける。前記ガイド片８は可撓性のプラスチック材により形成する。障害物がガイド片に衝突した際に、該ガイド片が撓み（弾性変形し）、該ガイド片が破損したり損傷したりしなくなる。【選択図】図１
2010142401.tif 000002
【特許請求の範囲】
【請求項１】
液体調味料を収容する容器本体（２）の上部口にキャップ（５）を開閉可能に設け、前記キャップ（５）の側壁に筒状の注出ノズル（７）を上向きに傾斜させて突出固定し、該注出ノズル（７）の注ぎ口（７ａ）の上辺に、注出ノズル（７）の軸線に対して下方に傾斜するガイド片（８）を設けたことを特徴とする液体調味料容器。
【請求項２】
ガイド片（８）は可撓性のプラスチック材により形成したことを特徴とする請求項１記載の液体調味料容器。
【請求項３】
ガイド片（８）は中心から両側に向かって下方に湾曲する正面視山形状としたことを特徴とする請求項１又は２記載の液体調味料容器。
【請求項４】
注出ノズル（９）の注ぎ口（９ａ）は上部から下部に向かって次第に小幅となる正面視三角形状としたことを特徴とする請求項１〜３いずれか１項に記載の液体調味料容器。
【発明の詳細な説明】
【技術分野】
【０００１】
本発明は、醤油、ドレッシング等の液体調味料を収容して卓上等に載置する液体調味料容器に関するものである。
【背景技術】
【０００２】
従来の技術として特許文献１があった。即ち、本体の一側を内方に凹ませるとともに、その上部を外方かつ上方に向けて円弧状に膨出（復元）させ、該膨出した外端部に注ぎ口を形成し、本体の上部に蓋を着脱可能に取り付けるようにしたものがあった。
【０００３】
前記特許文献１は、注ぎ口が本体から半径方向外方に向かって開口していたため、本体を傾けて内部の液体調味料を注ぎ口から流出させる際に、該液体調味料が注ぎ口から該注ぎ口の軸線方向外方に向かって流出することになる。このため、液体調味料を皿等の対象物に供給する際に吐出方向が定まり難く、液体調味料が対象物からこぼれ易くなるものであった。
【０００４】
【特許文献１】特開２００６−１１０１７０号公報
【発明の開示】
【発明が解決しようとする課題】
【０００５】
本発明は、構造簡素にして液体調味料の流出方向が安定する液体調味料容器を得ることを目的とする。
【課題を解決するための手段】
【０００６】
本発明は、前記目的を達成するために以下の如く構成したものである。即ち、請求項１に係る発明は、液体調味料を収容する容器本体の上部口にキャップを開閉可能に設け、前記キャップの側壁に筒状の注出ノズルを上向きに傾斜させて突出固定し、該注出ノズルの注ぎ口の上辺に、注出ノズルの軸線に対して下方に傾斜するガイド片を設ける構成にしたものである。
請求項２に係る発明は、前記ガイド片を可撓性のプラスチック材により形成したものである。
請求項３に係る発明は、前記ガイド片を中心から両側に向かって下方に湾曲する正面視山形状としたものである。
請求項４に係る発明は、前記注出ノズルの注ぎ口を、上部から下部に向かって次第に小幅となる正面視三角形状としたものである。
【発明の効果】
【０００７】
請求項１に係る発明は、容器本体を傾けて内部の液体調味料を注出ノズルから流出させると、該流出した液体調味料がガイド片に衝突して下方に仕向けられることになる。これにより、注出ノズルから流出する液体調味料の流出方向が容器本体の傾斜角度に大きく左右されなくなり、液体調味料を皿等の対象物に安定して供給することができる。また、注出ノズルをキャップの側壁から上向きに傾斜させたので、注出ノズルから液体調味料を流出させた後に容器本体を起立方向に復帰させると、注出ノズルの注ぎ口部に滞留していた液体調味料が直ちに容器本体側に流下（還元）し、注ぎ口部での液だれを防止することができる。また、ガイド片が注出ノズルの注ぎ口の上部側を覆うので、塵埃、虫等が注ぎ口に付着したり、該注ぎ口から注出ノズル内に進入したりし難くなる。
請求項２に係る発明は、前記ガイド片を可撓性のプラスチック材により形成したので、障害物がガイド片に衝突した際に、該ガイド片が撓み（弾性変形し）、該ガイド片が破損したり損傷したりしなくなる。
請求項３に係る発明は、前記ガイド片を正面視山形状にしたので、注出ノズルから流出する液体調味料を側方に拡散させることなく下方に仕向けることができる。
請求項４に係る発明は、前記注出ノズルの注ぎ口を上部から下部に向かって次第に小幅となる正面視三角形状としたので、注ぎ口からの流出量が少量であっても線状に流出し、滴状に流下しなくなるので対象物から飛散し難くなる。
【発明を実施するための最良の形態】
【０００８】
以下本発明の実施例を図面に基いて説明する。図面において、図１は本発明による液体調味料容器の一部断面側面図、図２は本発明によるキャップ部の斜視図、図３は流出状態を示す一部断面側面図、図４は他の実施例を示すキャップ部の斜視図である。
【０００９】
図１おいて、１はプラスチック製の液体調味料容器であり、醤油、ソース 、ドレッシング等の液体調味料を収容する。前記液体調味料容器１は、容器本体２の上部にキャップ５を着脱可能に取り付け、該キャップ５に注出ノズル７を取り付けてなる。
【００１０】
前記容器本体２は、比較的軟質性のプラスチック材により、底面が平坦に、上部が緩やかに縮小する細長い太鼓形の円筒状に形成され、上端の開口部３の外周に雄ねじ４が形成されている。また、前記キャップ５は、硬質性のプラスチック材によりドーム形に形成され、下端の内周に前記雄ねじ４に螺合するめねじ６が形成されている。５ａはキャップ５の背面側に形成した空気孔である。
【００１１】
前記注出ノズル７は比較的軟質性のプラスチック材により細長い円筒状に形成され、キャップ５の側壁の一部に約４５度の上向き角度で突出固定され、その先端側の注ぎ口７ａの上縁部に円板形のガイド片８を有する。該ガイド片８は、正面（図１の右側面）視円弧状に湾曲して注ぎ口７ａの上縁部から水平方向外方、即ち、注出ノズル７の軸線に対して下方に傾斜させ、注ぎ口７ａから流出する液体調味料を下方に案内する。なお、前記ガイド片８は平板にして注出ノズル７の軸線に対して下方に傾斜させるようにしてもよい。
【００１２】
前記注出ノズル７の突出量は、本例では、図１に示すように、ガイド片８の上面がキャップ５の頂部の高さＨ１以下に、該ガイド片８の先端が容器本体２の最大径の延長線Ｌ１以内に位置する突出量とし、容器本体２を少スペースに載置した際にガイド片８が他の容器と接触し難くする。なお、前記注出ノズル７は、その基部をキャップ５にねじ込む、あるいは差し込む等により、キャップ５に着脱可能に取り付けるようにしてもよい。
【００１３】
図４は他の実施例を示す。図４において、５は前述と同様のキャップ、９は該キャップ５の一側壁に約４５度の上向き角度で突出固定した注出ノズルである。該注出ノズル９は一辺が上部側に、他の二辺が下部側でＶ形に屈曲する三角筒状に形成し、先端側の注ぎ口９ａの上縁部に三角板形のガイド片１０を取り付ける。該ガイド片１０は、注出ノズル９の軸線に対して下方に傾斜し、注ぎ口９ａから流出する液体調味料を下方に案内するようになっている。なお、前記注出ノズル９は、注ぎ口９ａのみ倒立断面三角形状とし、残余は円筒状としてもよい。また、前記ガイド片１０は左右端が中心部よりも下方となる正面視山形に屈曲、あるいは正面視円弧状に湾曲させてもよい。
【００１４】
前記実施例によれば、図３に示すように、容器本体２を傾け、内部の液体調味料（ア）を注出ノズル７（９）から流出させると、注出ノズル７（９）から流出する液体調味料（イ）がガイド片８（１０）に衝突して下方に仕向けられることになる。これにより、注出ノズル７（９）から流出する液体調味料（イ）の向きが容器本体２の傾斜角度に大きく左右されることなく下方に仕向けられ、容器本体２の近傍に配置した小皿（対象物）１１に液体調味料を安定して供給することができる。また、注出ノズル７（９）をキャップの側壁から上向きに傾斜させたので、注出ノズル７（９）から液体調味料を流出させた後に容器本体２を起立方向に復帰させると、注出ノズル７（９）の注ぎ口部に滞留していた液体調味料が直ちに容器本体２側に流下（還元）し、注ぎ口部７ａ（９ａ）での液だれを防止することができる。さらに、ガイド片８（１０）が注出ノズル７（９）の注ぎ口７ａ（９ａ）の上部側を覆うので、塵埃、虫等が注ぎ口７ａ（９ａ）に付着したり、該注ぎ口７ａ（９ａ）から注出ノズル７（９）内に進入したりし難くなる。
【００１５】
この場合、ガイド片８（１０）を正面視円弧状に湾曲、あるいは山形に屈曲させると、注出ノズル７（９）から流出する液体調味料（イ）が側方に拡散することなく下方に仕向けられ、前記小皿１１への液体調味料の供給がより安定することになる。また、前記ガイド片８（１０）を可撓性のプラスチック材により形成したので、該ガイド片８（１０）に障害物が衝突した際に、該ガイド片８（１０）が弾性変形して破損したり損傷したりしなくなる。また、図４に示すように、注出ノズル９の注ぎ口９ａを上部から下部に向かって次第に小幅となる正面視三角形状にすると、注ぎ口９ａからの流出量が少量であっても液体調味料（イ）が線状に流出し、小皿１１に安定して供給することができる。
【図面の簡単な説明】
【００１６】
【図１】本発明による液体調味料容器の一部断面側面図である。
【図２】本発明によるキャップ部の斜視図である。
【図３】流出状態を示す一部断面側面図である。
【図４】他の実施例を示すキャップ部の斜視図である。
【符号の説明】
【００１７】
１      液体調味料容器
２      容器本体
３      開口部
４      雄ねじ
５      キャップ
５ａ    空気孔
６      めねじ
７（９）      注出ノズル
７ａ（９ａ）  注ぎ口
８（１０）    ガイド片
１１    小皿（対象物）
【図１】
2010142401.tif 000003
【図２】
2010142401.tif 000004
【図３】
2010142401.tif 000005
【図４】
2010142401.tif 000006